(57)【要約】【課題】消弧性能を向上させることができる接点装置及び電磁継電器を提供する。【解決手段】接点装置２は、固定接点２１１と、可動接触子２２と、収容室４１０と、遮蔽壁３５と、を備える。収容室４１０は、固定接点２１１と可動接点２２２とを収容する。遮蔽壁３５は、隔壁３３を有する。隔壁３３は、収容室４１０の内部の第１の空間と第２の空間との間を区分する。隔壁３３は、固定接点２１１と可動接点２２２とのうち一方の接点に対して、他方の接点が位置する側とは反対側の領域に配置されている。【選択図】図２
2020080256.tif 000002
【特許請求の範囲】
【請求項１】
固定接点と、
第１方向に移動して前記固定接点に接した状態と前記固定接点から離れた状態とのうちいずれかの状態を成す可動接点を有し、前記第１方向と直交する第２方向に沿って延在する可動接触子と、
前記固定接点と前記可動接点とを収容する収容室と、
前記収容室の内部に配置された遮蔽壁と、を備え、
前記遮蔽壁は、前記第２方向から見て、前記第１方向と前記第２方向とに直交する第３方向において前記収容室の内部の第１の空間と第２の空間との間を区分する隔壁を有し、
前記隔壁は、前記固定接点と前記可動接点とのうち一方の接点に対して、他方の接点が位置する側とは反対側の領域に配置された、
接点装置。
【請求項２】
前記隔壁は、前記第１方向から見て、前記第２方向に沿って延在する、
請求項１に記載の接点装置。
【請求項３】
前記第１の空間と前記第２の空間とのうち少なくとも一方は、アークが伸張可能な伸張空間の少なくとも一部である、
請求項１又は２に記載の接点装置。
【請求項４】
前記第１方向において前記伸張空間に面する底壁を更に備え、
前記隔壁は、前記第２方向から見て、前記底壁と前記一方の接点との間に配置された、
請求項３に記載の接点装置。
【請求項５】
前記遮蔽壁は、前記底壁の周縁から前記第１方向に突出した側壁を有する、
請求項４に記載の接点装置。
【請求項６】
前記可動接触子を前記第１方向に移動させる駆動軸と、
前記収容室において前記駆動軸を囲む筒状の壁部と、を更に備える、
請求項１〜５のいずれか一項に記載の接点装置。
【請求項７】
前記一方の接点は前記可動接点である、
請求項１〜６のいずれか一項に記載の接点装置。
【請求項８】
前記固定接点と前記可動接点との間において前記第２方向に向く磁束を発生させる永久磁石を更に備える、
請求項１〜７のいずれか一項に記載の接点装置。
【請求項９】
前記永久磁石は、前記可動接触子に対して前記第２方向に並ぶ位置に配置された、
請求項８に記載の接点装置。
【請求項１０】
前記永久磁石は、前記可動接触子に対して前記第３方向に並ぶ位置に配置された、
請求項８に記載の接点装置。
【請求項１１】
前記隔壁は、電気絶縁性を有する、
請求項１〜１０のいずれか一項に記載の接点装置。
【請求項１２】
前記隔壁は、前記第１方向から見て、前記固定接点と重なる位置に配置されている、
請求項１〜１１のいずれか一項に記載の接点装置。
【請求項１３】
前記固定接点を２つ備え、
前記可動接触子は、前記可動接点を２つ有し、
２つの前記可動接点は、２つの前記固定接点に対向する、
請求項１〜１２のいずれか一項に記載の接点装置。
【請求項１４】
請求項１〜１３のいずれか一項に記載の接点装置と、
励磁コイルを有する電磁石装置と、を備える、
電磁継電器。
【請求項１５】
前記電磁石装置は、前記励磁コイルで発生した磁束が通る継鉄を有し、
前記継鉄は、前記可動接触子と前記励磁コイルとの間に配置された一の継鉄を含み、
前記接点装置は、前記一の継鉄と前記可動接触子との間に配置されており前記一の継鉄を覆う、電気絶縁性のカバーを備える、
請求項１４に記載の電磁継電器。
【発明の詳細な説明】
【技術分野】
【０００１】
本開示は接点装置及び電磁継電器に関し、より詳細には、固定接点と可動接触子とを備える接点装置及びこの接点装置を備える電磁継電器に関する。
【背景技術】
【０００２】
特許文献１記載の電磁継電器は、一対の固定接点と、一対の固定接点に接離する可動接触子と、可動軸と、可動接触子が一対の固定接点に接離するように可動軸を駆動する駆動装置と、を備える。
【先行技術文献】
【特許文献】
【０００３】
【特許文献１】特開２０１６−２０１２８６号公報
【発明の概要】
【発明が解決しようとする課題】
【０００４】
電磁継電器においては、可動接触子が固定接点から離れる場合に、可動接触子と固定接点との間にアークが発生することがある。このため、電磁継電器においては、消弧性能の向上を求められることがあった。
【０００５】
本開示は、消弧性能を向上させることができる接点装置及び電磁継電器を提供することを目的とする。
【課題を解決するための手段】
【０００６】
本開示の一態様に係る接点装置は、固定接点と、可動接触子と、収容室と、遮蔽壁と、を備える。前記可動接触子は、可動接点を有する。前記可動接点は、第１方向に移動して前記固定接点に接した状態と前記固定接点から離れた状態とのうちいずれかの状態を成す。前記可動接触子は、前記第１方向と直交する第２方向に沿って延在する。前記収容室は、前記固定接点と前記可動接点とを収容する。前記遮蔽壁は、前記収容室の内部に配置されている。前記遮蔽壁は、隔壁を有する。前記隔壁は、前記第２方向から見て、第３方向において前記収容室の内部の第１の空間と第２の空間との間を区分する。前記第３方向は、前記第１方向と前記第２方向とに直交する。前記隔壁は、前記固定接点と前記可動接点とのうち一方の接点に対して、他方の接点が位置する側とは反対側の領域に配置されている。
【０００７】
本開示の一態様に係る電磁継電器は、前記接点装置と、電磁石装置と、を備える。前記電磁石装置は、励磁コイルを有する。
【発明の効果】
【０００８】
本開示は、消弧性能を向上させることができる。
【図面の簡単な説明】
【０００９】
【図１】図１は、一実施形態に係る電磁継電器の遮蔽部材の斜視図である。
【図２】図２は、同上の電磁継電器を正面から見た断面図である。
【図３】図３は、同上の電磁継電器の遮蔽部材の平面図である。
【図４】図４は、同上の電磁継電器を側方から見た断面図である。
【図５】図５は、一実施形態との比較例に係る電磁継電器を側方から見た断面図である。
【図６】図６は、一実施形態に係る電磁継電器におけるアークの挙動の説明図である。
【図７】図７Ａ、７Ｂは、一実施形態との比較例に係る電磁継電器におけるアークの挙動の説明図である。
【図８】図８は、一実施形態の変形例１に係る電磁継電器を側方から見た断面図である。
【発明を実施するための形態】
【００１０】
以下、実施形態に係る接点装置及び電磁継電器について、図面を用いて説明する。ただし、下記の実施形態は、本開示の様々な実施形態の１つに過ぎない。下記の実施形態は、本開示の目的を達成できれば、設計等に応じて種々の変更が可能である。また、下記の実施形態において説明する各図は、模式的な図であり、図中の各構成要素の大きさ及び厚さそれぞれの比が必ずしも実際の寸法比を反映しているとは限らない。
【００１１】
電磁継電器１（図２参照）は、例えば、電動車両等に備えられる。電磁継電器１は、例えば、電動車両の電源からモータへの電流の供給の有無を切り替える。
【００１２】
図２に示すように、本実施形態の電磁継電器１は、接点装置２と、電磁石装置５とを備えている。電磁継電器１は、接点装置２及び電磁石装置５を収容するハウジング９を更に備えている。ハウジング９は、気密性を有している。図１、２に示すように、接点装置２は、複数（図２では２つ）の固定接点２１１と、可動接触子２２と、遮蔽部材３と、を備えている。接点装置２は、複数（図２では２つ）の固定端子２１と、接圧ばね２３と、ホルダ２４と、駆動軸２５と、内ケース４１と、連結体４２と、磁束発生部４３とを更に備えている。
【００１３】
以下では、各固定接点２１１と対応する可動接点２２２とが並んでいる方向を上下方向と規定し、可動接点２２２から見て固定接点２１１側を上とし、固定接点２１１から見て可動接点２２２側を下とする。また、電磁継電器１において、２つの固定接点２１１が並んでいる方向を左右方向と規定する。ただし、これらの方向は電磁継電器１の使用方向を限定する趣旨ではない。
【００１４】
複数の固定端子２１の各々は、銅等の導電性材料により形成されている。各固定端子２１の形状は、円柱状である。各固定端子２１は、内ケース４１に形成された貫通孔４１１に挿入されている。さらに、各固定端子２１は、ハウジング９に形成された貫通孔９１１に挿入されている。各固定端子２１は、その上端を内ケース４１の上面及びハウジング９の上面から突出させた状態で内ケース４１にろう付けによって接合されている。
【００１５】
複数の固定端子２１は、複数の固定接点２１１と一対一で対応する。各固定端子２１の下端には、対応する固定接点２１１が取り付けられている。なお、各固定接点２１１は、固定端子２１と一体に形成されていてもよい。
【００１６】
可動接触子２２は、平板状に形成されている。可動接触子２２は、第１方向Ｄ１（上下方向）に移動する。可動接触子２２は、第１方向Ｄ１と直交する第２方向Ｄ２（左右方向）に沿って延在する。すなわち、可動接触子２２の長手方向は、左右方向に沿っている。可動接触子２２は、複数（図２では２つ）の可動接点２２２を有している。複数の可動接点２２２は、可動接触子２２の上面のうち、左右方向の両端部分に設けられている。複数の可動接点２２２は、複数の固定接点２１１と一対一で対応する。各可動接点２２２は、対応する固定接点２１１に対向している。本実施形態では、複数の可動接点２２２は、可動接触子２２のうち複数の可動接点２２２以外の部位と一体であるが、別体であってもよい。
【００１７】
各可動接点２２２は、第１方向Ｄ１（上下方向）に移動して、対応する固定接点２１１に接した状態と、対応する固定接点２１１から離れた状態とのうちいずれかの状態を成す。より詳細には、電磁石装置５により、可動接触子２２を駆動する電磁気力が発生し、可動接触子２２が駆動されることで、各可動接点２２２は、対応する固定接点２１１から離れた状態から、対応する固定接点２１１に接した状態となる。これにより、２つの固定接点２１１間が導通する。また、電磁石装置５が電磁気力を発生していない場合は、電磁石装置５に備えられた復帰ばね５５のばね力により、各可動接点２２２は、対応する固定接点２１１から離れた状態となる。これにより、２つの固定接点２１１間が導通していない状態となる。
【００１８】
各固定接点２１１と対応する可動接点２２２とが互いに対向している方向は、可動接触子２２及び可動接触子２２の各可動接点２２２が移動する方向である第１方向Ｄ１に一致する。
【００１９】
ホルダ２４は、上壁２４１と、下壁２４２とを有している。上壁２４１と下壁２４２とは、上下方向において互いに対向している。上壁２４１と下壁２４２との間には、可動接触子２２が通されている。
【００２０】
接圧ばね２３は、例えば、圧縮コイルばねである。接圧ばね２３は、伸縮方向を上下方向に向けた状態で、ホルダ２４の下壁２４２と可動接触子２２との間に配置されている。接圧ばね２３は、上向きのばね力を可動接触子２２に加える。すなわち、接圧ばね２３は、複数の固定接点２１１に近づく向きのばね力を可動接触子２２に加える。
【００２１】
駆動軸２５の形状は、丸棒状である。駆動軸２５の軸方向は、上下方向に沿っている。駆動軸２５の上端は、ホルダ２４に結合されている。駆動軸２５は、ホルダ２４を介して、可動接触子２２につながっている。駆動軸２５の下端は、電磁石装置５に備えられた可動鉄心５３に結合されている。電磁石装置５の状態が電磁気力を発生している状態と電磁気力を発生していない状態との間で切り替わることに伴って、駆動軸２５は、上下方向に移動する。これに伴い、ホルダ２４が上下方向に移動し、ホルダ２４に通された可動接触子２２が上下方向に移動する。すなわち、可動接触子２２は、固定接点２１１及び可動接点２２２が互いに対向している方向（第１方向Ｄ１）に移動する。要するに、駆動軸２５は、可動接触子２２を第１方向Ｄ１に移動させる。そのため、駆動軸２５は、可動接触子２２を、各可動接点２２２が対応する固定接点２１１に接した状態と対応する固定接点２１１から離れた状態との間で移動させる。
【００２２】
内ケース４１は、セラミック等の耐熱性材料により形成されている。内ケース４１の形状は、下面が開口した箱状である。内ケース４１の上面には、左右方向に並んだ２つの貫通孔４１１が形成されている。内ケース４１の内部の空間は、複数の固定接点２１１と複数の可動接点２２２とを収容する収容室４１０である。すなわち、接点装置２は、収容室４１０を備えている。収容室４１０には、水素等の消弧ガスが封入されている。なお、収容室４１０は、密閉されていなくともよく、外部環境とつながっていてもよい。
【００２３】
連結体４２の形状は、矩形枠状である。連結体４２は、内ケース４１にろう付けによって接合されている。さらに、連結体４２は、電磁石装置５に備えられた継鉄５４にろう付けによって接合されている。これにより、連結体４２は、内ケース４１と継鉄５４とを連結している。
【００２４】
遮蔽部材３は、電気絶縁性を有している。遮蔽部材３は、例えば、セラミック又は合成樹脂等の電気絶縁性を有する材料により形成されている。遮蔽部材３は、収容室４１０に収容されている。ここで、接点装置２では、各可動接点２２２が対応する固定接点２１１に接している状態から離れた状態になるときに、可動接点２２２と固定接点２１１との間にアークが発生することがある。遮蔽部材３は、固定接点２１１と可動接点２２２との間に発生するアークを遮蔽する。遮蔽部材３の構成の詳細は後述する。
【００２５】
磁束発生部４３は、１対の永久磁石４３１を有している。１対の永久磁石４３１は、内ケース４１の外面とハウジング９の内面との間に配置され、固定されている。１対の永久磁石４３１は、２つの固定接点２１１が並ぶ方向（第２方向Ｄ２）において２つの固定接点２１１の外側に配置されている。各永久磁石４３１は可動接触子２２に対して第２方向Ｄ２に並ぶ位置に配置されている。すなわち、１対の永久磁石４３１は、可動接触子２２の長手方向（左右方向）において可動接触子２２に対向する。ここで、１対の永久磁石４３１が可動接触子２２に対向するとは、本実施形態のように、各永久磁石４３１と可動接触子２２との間に、内ケース４１等の部材が配置されている場合を含む。１対の永久磁石４３１は、異極を互いに対向させている。例えば、図２において右側の永久磁石４３１は、Ｎ極を左に向けており、左側の永久磁石４３１は、Ｓ極を右に向けている。１対の永久磁石４３１は、各固定接点２１１と対応する可動接点２２２との間において、第２方向Ｄ２に向く磁束を発生させる。第２方向Ｄ２に向く磁束は、各固定接点２１１又は各可動接点２２２の周囲に存在することが好ましい。
【００２６】
電磁継電器１は、１対の架橋部４４を更に備えている。１対の架橋部４４は、磁性材料により形成されている。１対の架橋部４４のうち一方は、可動接触子２２から見て図２の紙面手前側に配置されており、他方は、可動接触子２２から見て図２の紙面奥側に配置されている。１対の架橋部４４は、１対の永久磁石４３１の間を架け渡すように配置されている。
【００２７】
電磁石装置５は、励磁コイル５１と、コイルボビン５２と、可動鉄心５３と、継鉄５４と、復帰ばね５５と、円筒部材５６と、ブッシュ５７とを備えている。また、電磁石装置５は、励磁コイル５１の両端が接続される一対のコイル端子を備えている。各コイル端子は、銅等の導電性材料により形成され、半田等によってリード線と接続される。
【００２８】
コイルボビン５２は、樹脂等を材料として形成されている。コイルボビン５２は、２つの鍔部５２１、５２２と、円筒部５２３とを有している。円筒部５２３には、励磁コイル５１が巻かれている。鍔部５２１は、円筒部５２３の上端から、円筒部５２３の径方向における外向きに延びている。鍔部５２１は、円筒部５２３の下端から、円筒部５２３の径方向における外向きに延びている。
【００２９】
円筒部材５６の形状は、上端が開口した有底円筒状である。円筒部材５６は、コイルボビン５２の円筒部５２３に収容されている。
【００３０】
可動鉄心５３は、磁性材料により形成されている。可動鉄心５３の形状は、円筒状である。可動鉄心５３は、円筒部材５６に収容されている。可動鉄心５３の内側には、駆動軸２５が通されており、可動鉄心５３と駆動軸２５とは連結されている。可動鉄心５３には、上面から下向きに窪んだ凹部５３１が形成されている。
【００３１】
継鉄５４は、励磁コイル５１の通電時に励磁コイル５１で発生した磁束が通る磁気回路の少なくとも一部を形成している。継鉄５４は、板状の第１の継鉄５４１（一の継鉄）と、板状の第２の継鉄５４２と、一対の板状の第３の継鉄５４３とを備えている。第１の継鉄５４１は、可動接触子２２と励磁コイル５１との間に配置されている。第１の継鉄５４１は、コイルボビン５２の上面に接している。第２の継鉄５４２は、コイルボビン５２の下面に接している。一対の第３の継鉄５４３は、第２の継鉄５４２の左右両端から第１の継鉄５４１へ延びている。第１の継鉄５４１の形状は、矩形板状である。第１の継鉄５４１の略中央には、挿通孔５４４が形成されている。挿通孔５４４には、駆動軸２５が通されている。
【００３２】
復帰ばね５５は、例えば、圧縮コイルばねである。復帰ばね５５の伸縮方向（上下方向）の第１端は、第１の継鉄５４１に接しており、第２端は、可動鉄心５３の凹部５３１の底面に接している。復帰ばね５５は、可動鉄心５３にばね力を加えて可動鉄心５３を下向きに移動させる。
【００３３】
ブッシュ５７は、磁性材料により形成されている。ブッシュ５７の形状は、円筒状である。ブッシュ５７は、コイルボビン５２の内周面と円筒部材５６の外周面との間に配置されている。ブッシュ５７は、第１〜３の継鉄５４１〜５４３及び可動鉄心５３とともに、励磁コイル５１の通電時に発生する磁束が通る磁気回路を形成している。
【００３４】
励磁コイル５１が通電されると、励磁コイル５１で発生する磁束が上記磁気回路を通るので、上記磁気回路の磁気抵抗が小さくなるように可動鉄心５３が移動する。具体的には、励磁コイル５１の通電時に、上記磁気回路のうち第１の継鉄５４１と可動鉄心５３の上端との間のギャップを埋めるように、可動鉄心５３が上向きに移動する。より詳細には、可動鉄心５３を上向きに移動させようとする電磁気力は、復帰ばね５５が可動鉄心５３を下向きに押す力（ばね力）を上回るので、可動鉄心５３が上向きに移動する。その結果、可動接触子２２が上向きに移動し、各可動接点２２２は、対応する固定接点２１１に接した状態となる。すなわち、可動接触子２２は、ホルダ２４、駆動軸２５及び可動鉄心５３と一緒に、図２における位置よりも上へ移動する。
【００３５】
励磁コイル５１が通電された状態から、通電されていない状態になると、可動鉄心５３を上向きに移動させる電磁気力が消滅するので、可動鉄心５３は、復帰ばね５５のばね力により下向きに移動する。その結果、可動接触子２２が下向きに移動し、各可動接点２２２は、対応する固定接点２１１から離れた状態となる（図２に示す位置）。
【００３６】
次に、遮蔽部材３について詳細に説明する。
【００３７】
図１に示すように、遮蔽部材３は、ベース３１と、複数（図１では２つ）の側壁３２と、複数（図１では２つ）の隔壁３３とを有している。また、接点装置２は、壁部３４を備えている。壁部３４は、遮蔽部材３と一体に形成されている。
【００３８】
ベース３１の形状は、矩形板状である。ベース３１の長手方向は、可動接触子２２の長手方向（左右方向）に沿っている。ベース３１の厚さ方向は、第１方向Ｄ１（上下方向）に沿っている。ここで、可動接触子２２の長手方向は、第２方向Ｄ２に沿っている。つまり、可動接触子２２は第２方向Ｄ２に延在している。第２方向Ｄ２は、第１方向Ｄ１に対して直交する。ベース３１の厚さ方向は、第１の継鉄５４１（図２参照）の厚さ方向に沿っており、ベース３１は、第１の継鉄５４１に接している。ベース３１（カバー）は、第１の継鉄５４１と可動接触子２２との間に配置されており、第１の継鉄５４１を覆っている。また、ベース３１は、電気絶縁性を有している。
【００３９】
複数（２つ）の側壁３２は、ベース３１の一の面３１０（上面）からベース３１の厚さ方向に突出している。側壁３２の形状は、筒状である。側壁３２の下側の開口の一部は、板状の底壁３１５（後述する）により覆われている。一方の側壁３２は、ベース３１の長手方向の一方側（左側）に設けられており、他方の側壁３２は、ベース３１の長手方向の他方側（右側）に設けられている。
【００４０】
筒状の壁部３４の軸方向は、ベース３１の厚さ方向に沿っている。壁部３４は、２つの側壁３２の間に配置されている。壁部３４とベース３１とを貫通して形成された貫通孔３４１には、駆動軸２５（図２参照）が通されている。
【００４１】
以下では、特に断りの無い限り、２つの側壁３２のうち一方の側壁３２に着目して説明するが、他方の側壁３２も同様の構成を有している。
【００４２】
側壁３２は、第１側壁３２１と、第２側壁３２２と、第３側壁３２３と、第４側壁３２４とを含む。第１側壁３２１と第３側壁３２３とは、互いに対向している。第２側壁３２２と第４側壁３２４とは、互いに対向している。第２側壁３２２及び第４側壁３２４は、第１側壁３２１と第３側壁３２３とをつないでいる。ベース３１の厚さ方向から見て、側壁３２の形状は、第１側壁３２１、第２側壁３２２、第３側壁３２３及び第４側壁３２４を四辺とする長方形状である。
【００４３】
側壁３２は、固定接点２１１及び可動接点２２２が互いに対向している方向（第１方向Ｄ１）に延在している。具体的には、側壁３２は第１方向Ｄ１に沿った面を有している。より詳細には、第１側壁３２１、第２側壁３２２、第３側壁３２３及び第４側壁３２４の各々において、厚さ方向における両側の面が第１方向Ｄ１に沿っている。
【００４４】
側壁３２の内部の空間（つまり、第１側壁３２１、第２側壁３２２、第３側壁３２３及び第４側壁３２４で囲まれる空間）は、固定接点２１１と可動接点２２２との間で発生したアークが進入可能に設けられた遮蔽室である。すなわち、遮蔽室は、アークが伸張可能な伸張空間３２０である。隔壁３３、第１側壁３２１、第２側壁３２２、第３側壁３２３及び第４側壁３２４はそれぞれ、アークを遮蔽する遮蔽壁３５の一部であり伸張空間３２０に面している。遮蔽壁３５は、収容室４１０の内部に配置されている。収容室４１０の内部において、側壁３２の第１側壁３２１、第２側壁３２２、第３側壁３２３及び第４側壁３２４は、伸張空間３２０を囲んでいる。第１側壁３２１、第２側壁３２２、第３側壁３２３及び第４側壁３２４は、伸張空間の内部と外部との境界を形成する。アークは、伸張空間３２０に向かって引き延ばされることで、アーク電圧が高まる。アーク電圧が高まることにより、アークがエネルギーを放出しやすくなり、アークが消弧されるまでに要する時間が短縮される。また、接点装置２において遮断可能な電流及び電圧の大きさが大きくなる。
【００４５】
接点装置２において、側壁３２は２つ備えられているので、伸張空間３２０も２つ備えられている。２つの伸張空間３２０は、２つの固定接点２１１と一対一で対応し、２つの可動接点２２２と一対一で対応する。以下では、特に断りの無い限り、２つの伸張空間３２０のうち一方と、この一方の伸張空間３２０に対応する固定接点２１１及び可動接点２２２との関係について説明する。ただし、他方の伸張空間３２０と、この他方の伸張空間３２０に対応する固定接点２１１及び可動接点２２２との関係も同様である。
【００４６】
伸張空間３２０は、固定接点２１１と可動接点２２２とが互いに対向している方向（第１方向Ｄ１）において、固定接点２１１と可動接点２２２とのうち一方の接点に対向する位置に設けられている。伸張空間３２０は、固定接点２１１と可動接点２２２とのうち一方の接点（ここでは、可動接点２２２）に対して、他方の接点（ここでは、固定接点２１１）が位置する側とは反対側の領域に設けられている。図３に、上下方向（第１方向Ｄ１：図２参照）を法線とする投影面Ｐ１に固定接点２１１を投影した状態を図示する。伸張空間３２０は、投影面Ｐ１と重なる位置に設けられている。
【００４７】
隔壁３３は、電気絶縁性を有している。隔壁３３は、板状である。隔壁３３は、伸張空間３２０に配置され、伸張空間３２０を複数の空間（第１の空間ＳＰ１及び第２の空間ＳＰ２）に分割している。隔壁３３はアークを遮蔽する遮蔽壁３５の一部である。隔壁３３は、伸張空間３２０の中心に配置されている。隔壁３３は、投影面Ｐ１と重なる位置に配置されている。つまり、隔壁３３は、第１方向Ｄ１から見て、固定接点２１１と重なる位置に配置されている。遮蔽壁３５及び遮蔽壁３５の隔壁３３は、固定接点２１１と可動接点２２２とのうち一方の接点（ここでは、可動接点２２２）に対して、他方の接点（ここでは、固定接点２１１）が位置する側（可動接点２２２の上側）とは反対側（可動接点２２２の下側）の領域に配置されている。
【００４８】
より詳細には、隔壁３３は、可動接触子２２の下側に配置されている。隔壁３３は、第１側壁３２１と第３側壁３２３とを架け渡すように形成されている。つまり、隔壁３３は第１方向Ｄ１から見て、第２方向Ｄ２に沿って延在している。さらに、隔壁３３は、ベース３１につながっている。隔壁３３の厚さ方向は、第３方向Ｄ３に沿っている。第３方向Ｄ３は、第１方向Ｄ１と第２方向Ｄ２とに対して直交する方向である。隔壁３３は、固定接点２１１及び可動接点２２２が互いに対向している方向（第１方向Ｄ１）に沿った面３３１を有している。隔壁３３は、第２方向Ｄ２から見て、第３方向Ｄ３において収容室４１０の内部の第１の空間ＳＰ１と第２の空間ＳＰ２との間を区分する。より詳細には、隔壁３３は、伸張空間３２０を２つの空間に分割している。つまり、隔壁３３は、伸張空間３２０を、隔壁３３と第２側壁３２２との間の第１の空間ＳＰ１と、隔壁３３と第４側壁３２４との間の第２の空間ＳＰ２とに分割している（図１参照）。そのため、伸張空間３２０は、第１の空間ＳＰ１と第２の空間ＳＰ２とを含んでいる。第１の空間ＳＰ１と第２の空間ＳＰ２とのうちの少なくとも一方は、アークが伸張可能な伸張空間３２０の少なくとも一部である。
【００４９】
隔壁３３には、第１方向Ｄ１と交差する方向に隔壁３３を貫通する貫通孔３３２が形成されている。具体的には、貫通孔３３２は、第１方向Ｄ１と直交する第３方向Ｄ３に隔壁３３を貫通している。第１の空間ＳＰ１と第２の空間ＳＰ２とは、貫通孔３３２によりつながっている。隔壁３３は、固定接点２１１及び可動接点２２２が互いに対向している方向（第１方向Ｄ１）における第１端３３７（上端）と第２端３３８（下端）とを有している。隔壁３３において、貫通孔３３２は、第１端３３７と第２端３３８とのうち、固定接点２１１からより遠い側である第２端３３８に形成されている。
【００５０】
遮蔽部材３において、側壁３２と、底壁３１５とは、伸張空間３２０の外壁を構成している。底壁３１５は、ベース３１の一部である。側壁３２及び底壁３１５により、収容室４１０（図４参照）は、伸張空間３２０と、伸張空間３２０に隣接する外部の空間とに区分されている。底壁３１５は、第１方向Ｄ１において伸張空間３２０に面している。つまり、底壁３１５は第１の空間ＳＰ１と第２の空間ＳＰ２とに面している。底壁３１５は、筒状の側壁３２の下側の開口を覆っている。底壁３１５の厚さ方向は、固定接点２１１及び可動接点２２２が互いに対向している方向（第１方向Ｄ１）に沿っている。
【００５１】
伸張空間３２０は、可動接点２２２と底壁３１５との間の空間である。隔壁３３は、伸張空間３２０に配置されている。すなわち、遮蔽壁３５の隔壁３３は、第２方向Ｄ２から見て、可動接点２２２と底壁３１５との間に配置されている。底壁３１５と遮蔽壁３５とは、つながっている。遮蔽壁３５の隔壁３３は、底壁３１５から厚さ方向（上向き）に突出している。遮蔽壁３５の側壁３２は、底壁３１５の周縁から底壁３１５の厚さ方向（上向き）に突出している。すなわち、側壁３２は、底壁３１５の周縁から、固定接点２１１及び可動接点２２２が互いに対向している方向（第１方向Ｄ１）に突出している。
【００５２】
底壁３１５には、通過孔３１６が形成されている。通過孔３１６は、底壁３１５を第１方向Ｄ１（底壁３１５の厚さ方向）に貫通する貫通孔である。通過孔３１６は、底壁３１５のうち、第１方向Ｄ１から見て隔壁３３と重なる位置に設けられている。底壁３１５における通過孔３１６は、遮蔽壁３５の隔壁３３における貫通孔３３２とつながっている。通過孔３１６は、第１の継鉄５４１（図２参照）により覆われている。
【００５３】
通過孔３１６は、伸張空間３２０の第１の空間ＳＰ１及び第２の空間ＳＰ２に跨る位置に形成されている。したがって、第１の空間ＳＰ１及び第２の空間ＳＰ２は、通過孔３１６を通してつながっている。上述の通り、通過孔３１６は、第１の継鉄５４１（図２参照）により覆われている。しかしながら、通過孔３１６により、少なくとも底壁３１５の厚さ分の空間が第１の空間ＳＰ１と第２の空間ＳＰ２との間に形成される。このため、通過孔３１６は、第１の空間ＳＰ１と第２の空間ＳＰ２との間の気体の移動に寄与している。
【００５４】
側壁３２の第１側壁３２１には、複数（図１では２つ）の貫通孔３２８が形成されている。第１側壁３２１における貫通孔３２８は、第１方向Ｄ１と交差する方向に貫通している。詳細には、貫通孔３２８は第１方向Ｄ１と直交する第２方向Ｄ２に貫通している。一方の貫通孔３２８は、伸張空間３２０の第１の空間ＳＰ１につながっており、他方の貫通孔３２８は、伸張空間３２０の第２の空間ＳＰ２につながっている。伸張空間３２０の第１の空間ＳＰ１及び第２の空間ＳＰ２は、複数の貫通孔３２８により伸張空間３２０の外部につながっている。より詳細には、第１の空間ＳＰ１及び第２の空間ＳＰ２は、複数の貫通孔３２８により、筒状の壁部３４が配置された空間につながっている。
【００５５】
ベース３１には、複数（４つ。図３参照）のベース孔３１８が形成されている。複数のベース孔３１８の各々は、ベース３１をベース３１の厚さ方向（第１方向Ｄ１）に貫通している。複数のベース孔３１８は、２つの側壁３２の各々における２つの貫通孔３２８（つまり、計４つの貫通孔３２８）と一対一で対応している。各ベース孔３１８は、対応する貫通孔３２８とつながっている。なお、ベース３１において、各ベース孔３１８は無くてもよい。
【００５６】
壁部３４は、固定接点２１１及び可動接点２２２が互いに対向している方向（第１方向Ｄ１）と直交する方向（第２方向Ｄ２）において側壁３２と並んでいる。壁部３４は、収容室４１０において駆動軸２５（図２参照）を囲んでいる。アークによって発生した気流等により異物が飛散した場合に、異物が壁部３４を越えて駆動軸２５側へ侵入し難いので、異物の侵入によって駆動軸２５の駆動が阻害されることを抑制できる。
【００５７】
図４は、固定接点２１１と可動接点２２２とが互いに対向している方向（第１方向Ｄ１）に沿った平面（以下、平面Ｐ２と称す。図３参照）による電磁継電器１の断面図である。図４において、仮想経路Ｒ５は、収容室４１０の内部の経路であって、平面Ｐ２上の経路である。仮想経路Ｒ５は、平面Ｐ２上において可動接点２２２の周りを回って固定接点２１１と可動接点２２２とを結んでいる。また、仮想経路Ｒ５は、固定接点２１１と可動接点２２２との間の空間の外を迂回する経路である。なお、仮想経路Ｒ５は、可動接点２２２ではなく固定接点２１１の周りを回って固定接点２１１と可動接点２２２とを結んでいてもよい。この仮想経路Ｒ５は、伸張空間３２０に隔壁３３が配置されていない場合に、固定接点２１１と可動接点２２２との間に発生したアークが辿る経路を例示したものである。仮想経路Ｒ５は、第３方向Ｄ３における固定接点２１１の一端２１８（図４の紙面左側の端）と、可動接点２２２のうち、第３方向Ｄ３において固定接点２１１の一端２１８が位置する側とは反対側の一端２２８（図４の紙面右側の端）とを結んでいる。ここで、第３方向Ｄ３は、第１方向Ｄ１と第２方向Ｄ２とに対して直交する方向である。第２方向Ｄ２は、第１方向Ｄ１に沿った平面Ｐ２と交差する方向である。
【００５８】
第３方向Ｄ３における固定接点２１１の一端２１８は、一例として、固定接点２１１の表面のうち、法線方向が左方向に沿っている領域である。つまり、第３方向Ｄ３における固定接点２１１の一端２１８は、固定接点２１１の表面において最も端（ここでは、左端）に位置する点のみならず、この点を含む領域に相当する。可動接点２２２の一端２２８は、一例として、可動接点２２２の表面のうち、法線方向が右方向に沿っている領域である。つまり、第３方向Ｄ３における可動接点２２２の一端２２８は、可動接点２２２の表面において最も端（ここでは、右端）に位置する点のみならず、この点を含む領域に相当する。
【００５９】
隔壁３３は、仮想経路Ｒ５上に配置されている。具体的には、隔壁３３は、板状であり、隔壁３３の厚さ方向は、第１方向Ｄ１に沿った平面Ｐ２に沿った方向（第３方向Ｄ３）である。隔壁３３は、平面Ｐ２に直交する方向に延在している。
【００６０】
磁束発生部４３（図２参照）の１対の永久磁石４３１（図２参照）により発生する磁束は、平面Ｐ２と交差する。すなわち、１対の永久磁石４３１は、平面Ｐ２と交差する磁束を固定接点２１１の周囲に発生させる。要するに、固定接点２１１と可動接点２２２との間において、磁束の方向は第２方向Ｄ２（図４の紙面奥行き方向）となる。１対の永久磁石４３１は、平面Ｐ２と交差する方向（第２方向Ｄ２）において可動接触子２２に対向している。
【００６１】
次に、図４、５を参照して、収容室４１０において固定接点２１１と可動接点２２２との間にアークが発生した場合のアークの挙動の一例について説明する。図４において、一点鎖線Ａ１〜Ａ３は、それぞれ発生したアークの移動経路を仮想的に表している。同様に、図５において、一点鎖線Ａ５、Ａ６は、発生したアークの移動経路を仮想的に表している。図５は、実施形態の電磁継電器１との比較例としての電磁継電器１Ｑを示す図である。電磁継電器１Ｑは、遮蔽部材３の代わりに、隔壁３３を有していない遮蔽部材３Ｑを備えている点で、実施形態の電磁継電器１と相違する。
【００６２】
図４において、アークは、ローレンツ力により移動する。すなわち、磁束発生部４３（図２参照）の１対の永久磁石４３１（図２参照）により発生する磁束は、第２方向Ｄ２に沿っている。そして、アークにおける電流の向きはおおよそ第１方向Ｄ１に沿っているため、第１方向Ｄ１に延びるアークには、第１方向Ｄ１及び第２方向Ｄ２と直交する第３方向Ｄ３（図４では紙面左向き）のローレンツ力が作用する。
【００６３】
アークは、ローレンツ力により引き延ばされる。図４に示す白抜きの矢印は、アークが引き延ばされる過程を表している。すなわち、発生したアークは、収容室４１０の内部において、一点鎖線Ａ１で示す位置から、一点鎖線Ａ２で示す位置を経由して、一点鎖線Ａ３で示す位置へと引き延ばされる。このように引き延ばされることで、アークは、伸張空間３２０に到達する。
【００６４】
ここで、伸張空間３２０には、隔壁３３が配置されているため、アークは隔壁３３を越えて第１の空間ＳＰ１から第２の空間ＳＰ２へと移動し難い。したがって、隔壁３３が無い場合と比較して、アークが、伸張空間３２０のうち隔壁３３の手前側（図４の紙面左側）において引き延ばされた状態が維持される（言い換えれば、第１の空間ＳＰ１に留まる）可能性が高まる。
【００６５】
仮に、図５に示すように、伸張空間３２０に隔壁３３が配置されていない場合は、一点鎖線Ａ５で示すように、アークが更に引き延ばされ、可動接触子２２の周囲を回る可能性がある。そして、引き延ばされたアークが、可動接点２２２のうち、第３方向Ｄ３において固定接点２１１の一端２１８が位置する側とは反対側の一端２２８に到達する可能性が高まる。アークが可動接触子２２の一端２２８に到達すると、アークは、固定接点２１１と可動接点２２２とを直線状に結ぶ位置（図５の一点鎖線Ａ６を参照）へと転移することがある。すなわち、一点鎖線Ａ５で示す伸張したアークが、長さがより短いアークに戻り得る。このように比較的短いアークが発生すると、アーク電圧が下がり、消弧するために要する時間が長くなる等、電磁継電器１Ｑの消弧性能が低下する可能性がある。
【００６６】
本実施形態の電磁継電器１では、図４の一点鎖線Ａ３で示すように、アークを転移させることなく引き延ばされた状態に維持しやすい。したがって、本実施形態の電磁継電器１は、比較例に係る電磁継電器１Ｑと比較して、消弧性能が高くなる。
【００６７】
次に、図６、７Ａ、７Ｂを参照して、隔壁３３に形成された貫通孔３３２の機能について説明する。図６に示す電磁継電器１Ｒと図７Ａ、７Ｂに示す電磁継電器１Ｓとを対比しやすくするために、電磁継電器１Ｒ、１Ｓでは、遮蔽部材３Ｒ、３Ｓの第１側壁３２１Ｒ、３２１Ｓには貫通孔３２８（図４参照）が形成されておらず、底壁３１５Ｒ、３１５Ｓには通過孔３１６が形成されていないこととしている。図６に示す電磁継電器１Ｒにおいては、隔壁３３に貫通孔３３２が形成されている。これに対して、図７Ａ、７Ｂに示す電磁継電器１Ｓにおいては、隔壁３３Ｓに貫通孔３３２が形成されていない。
【００６８】
図６に示す電磁継電器１Ｒでは、固定接点２１１と可動接点２２２との間に発生したアークが、図６に白抜き矢印で示すように、一点鎖線Ａ１、Ａ２、Ａ３で示す位置を経由して、伸張空間３２０の第１の空間ＳＰ１へと伸張する。ここで、アークにより収容室４１０内のガスの気流が生じる可能性がある。伸張空間３２０の第１の空間ＳＰ１で発生した気流は、矢印１００に示すように、貫通孔３３２を通って第２の空間ＳＰ２へ流れ易くなる。そのため、アークは、第１の空間ＳＰ１で発生した気流が固定接点２１１側に押し戻されにくく、一点鎖線Ａ３で示すように引き延ばされた状態が維持されやすい。
【００６９】
一方で、図７Ａに示す電磁継電器１Ｓでは、図６に示す電磁継電器１Ｒと同様に、固定接点２１１と可動接点２２２との間に発生したアークが、一点鎖線Ａ１、Ａ２、Ａ３で示す位置を経由して、伸張空間３２０の第１の空間ＳＰ１へと引き延ばされる（図７Ａの白抜き矢印参照）。ここで、アークにより気流が生じると、図７Ｂに白抜き矢印で示すように、気流の圧力により、アークが固定接点２１１及び可動接点２２２が位置する側へと押し戻され、一点鎖線Ａ７で示すようにアーク長が比較的短い状態となることがある。そのため、アークは、図６に示す電磁継電器１Ｒと比較して、伸張空間３２０の内部において引き延ばされた状態が維持され難い。
【００７０】
図４に示す本実施形態に係る電磁継電器１では、伸張空間３２０で発生した気流は、側壁３２における複数の貫通孔３２８、及び、底壁３１５における通過孔３１６を通して流れ出し得る。したがって、固定接点２１１の付近から伸張空間３２０へ移動したアークが、気流により固定接点２１１側へ押し戻される可能性を低減できる。これにより、複数の貫通孔３２８及び通過孔３１６が無い場合よりもアークが引き延ばされやすくなるので、電磁継電器１の消弧性能が向上する。また、伸張空間３２０で発生した気流は、隔壁３３における貫通孔３３２を通しても流れ出し得る。したがって、気流によりアークが固定接点２１１側へ押し戻される可能性を更に低減できる。
【００７１】
また、本実施形態では、可動接触子２２に左から右へと電流が流れる場合を想定した。可動接触子２２に流れる電流の向きが本実施形態とは逆向きの場合は、アークに作用するローレンツ力の向きが逆向きになるので、アークは、図４の紙面右側に引き延ばされることになる。この場合も、本実施形態と同様に、隔壁３３によりアークの移動を制限して、アークが引き延ばされた状態を維持できる。すなわち、隔壁３３によって分割された第１の空間ＳＰ１と第２の空間ＳＰ２は、アークが伸張可能な伸張空間として用いることができる。電磁継電器１は、電流の流れる方向が任意である両極性の電磁継電器として用いられ得る。ここで、遮蔽部材３の形状は、第３方向Ｄ３（図４の紙面左右方向）において線対称である。そのため、電磁継電器１では、電流の流れる方向がいずれであっても同様の性能を発揮し得る。
【００７２】
（実施形態の変形例１）
次に、実施形態の変形例１について、図８を参照して説明する。実施形態と同様の構成については、同一の符号を付して説明を省略する。
【００７３】
本変形例の電磁継電器１Ａ及び接点装置２Ａにおいては、１対の永久磁石４３１の配置が実施形態とは異なる。１対の永久磁石４３１は、第３方向Ｄ３における可動接触子２２の両側に配置されている。つまり、永久磁石４３１は可動接触子２２に対して第３方向Ｄ３に並ぶ位置に配置されている。より詳細には、１対の永久磁石４３１は、内ケース４１の外面とハウジング９の内面との間に配置され、固定されている。
【００７４】
１対の永久磁石４３１は、同極を互いに対向させている。例えば、図８において紙面右側の永久磁石４３１は、Ｎ極を左に向けており、紙面左側の永久磁石４３１は、Ｎ極を右に向けている。１対の永久磁石４３１は、第１方向Ｄ１に沿った平面Ｐ２（図８の紙面と略平行な平面）と交差する磁束を固定接点２１１の周囲に発生させる。より詳細には、１対の永久磁石４３１は、可動接触子２２の長手方向（図８の紙面奥行き方向）に沿った磁束を固定接点２１１の周囲に発生させる。
【００７５】
本変形例において、固定接点２１１の周囲における磁束の方向は、実施形態と同様であるから、固定接点２１１と可動接点２２２との間に発生したアークは、実施形態と同様にして引き延ばされる。
【００７６】
（実施形態のその他の変形例）
次に、実施形態のその他の変形例を列挙する。以下の変形例は、適宜組み合わせて実現されてもよい。また、以下の変形例は、実施形態の変形例１と適宜組み合わせて実現されてもよい。
【００７７】
遮蔽部材３において、貫通孔３３２及び貫通孔３２８が設けられていることは必須ではない。遮蔽部材３において、伸張空間３２０は、少なくとも上に開放されていればよい。すなわち、伸張空間３２０は、少なくとも固定接点２１１及び可動接点２２２が位置する側が開放されていればよい。
【００７８】
また、側壁３２を貫通孔３２８が貫通する方向は、第２方向Ｄ２に限らず、例えば、第３方向Ｄ３であってもよい。また、第１側壁３２１のみに貫通孔３２８が形成されていることに限らず、第１側壁３２１、第２側壁３２２、第３側壁３２３及び第４側壁３２４のうち少なくとも１つに貫通孔３２８が形成されていてもよい。
【００７９】
また、遮蔽部材３において、通過孔３１６が設けられていることは必須ではない。
【００８０】
また、通過孔３１６は、電気絶縁性を有する絶縁シートにより覆われていてもよい。すなわち、遮蔽部材３と継鉄５４との間に絶縁シートが挟まれていてもよい。この場合、継鉄５４にアークが到達する可能性を低減できる。
【００８１】
また、遮蔽部材３は、例えば金属などの導電性を有する材料を有していてもよい。つまり、遮蔽部材３の少なくとも一部が、導電性を有していてもよい。
【００８２】
また、遮蔽部材３には、隔壁３３に代えて、隔壁３３とは異なる形状の部材が備えられていてもよい。つまり、実施形態における隔壁３３の機能は伸張空間３２０に進入したアークの移動を制限することであり、アークの移動を制限するための部材として、隔壁３３のように壁状の部材に限らず、別の形状の部材を採用可能である。例えば、隔壁３３に代えて、棒状の部材が第１側壁３２１と第３側壁３２３との間を架け渡すように備えられていてもよい。
【００８３】
また、遮蔽部材３には、隔壁３３に代えて、伸張空間３２０の第２の空間ＳＰ２を上から覆うカバー部材が備えられていてもよい。この場合、第１の空間ＳＰ１に進入するアークが第２の空間ＳＰ２を通ってから、カバー部材を越えて可動接点２２２の一端２２８へと移動する可能性を低減できる。また、遮蔽部材３には、隔壁３３に加えてカバー部材が備えられていてもよい。また、カバー部材には、貫通孔が形成されていてもよい。また、カバー部材は、第２の空間ＳＰ２を上から覆うことに代えて、第１の空間ＳＰ１を上から覆ってもよい。
【００８４】
また、実施形態において伸張空間３２０は、隔壁３３により第１の空間ＳＰ１と第２の空間ＳＰ２とに分割されているが、第１の空間ＳＰ１と第２の空間ＳＰ２とのうち一方は空洞ではなくてもよい。例えば、第２の空間ＳＰ２に相当する箇所に樹脂が充填されていてもよい。この場合であっても、少なくとも第１の空間ＳＰ１に進入するアークについては、アークが引き延ばされた状態が維持される可能性を高められる。
【００８５】
また、接点装置２及び電磁石装置５を収容するハウジング９が気密性を有していることは必須ではない。
【００８６】
また、固定接点２１１及び可動接点２２２の個数は２つに限定されず、１つ又は３つ以上であってもよい。
【００８７】
また、永久磁石４３１が可動接触子２２の長手方向において可動接触子２２に対向する場合において、永久磁石４３１の個数は１つであってもよい。つまり、永久磁石４３１は、可動接触子２２の長手方向の両端のうち一端側のみに配置されていてもよい。
【００８８】
また、永久磁石４３１の個数は１つ又は２つに限定されず、３つ以上であってもよい。
【００８９】
（まとめ）
以上説明した実施形態等から、以下の態様が開示されている。
【００９０】
第１の態様に係る接点装置２（又は２Ａ）は、固定接点２１１と、可動接触子２２と、収容室４１０と、遮蔽壁３５と、を備える。可動接触子２２は、可動接点２２２を有する。可動接点２２２は、第１方向Ｄ１に移動して固定接点２１１に接した状態と固定接点２１１から離れた状態とのうちいずれかの状態を成す。可動接触子２２は、第１方向Ｄ１と直交する第２方向Ｄ２に沿って延在する。収容室４１０は、固定接点２１１と可動接点２２２とを収容する。遮蔽壁３５は、収容室４１０の内部に配置されている。遮蔽壁３５は、隔壁３３を有する。隔壁３３は、第２方向Ｄ２から見て、第３方向Ｄ３において収容室４１０の内部の第１の空間ＳＰ１と第２の空間ＳＰ２との間を区分する。第３方向Ｄ３は、第１方向Ｄ１と第２方向Ｄ２とに直交する。隔壁３３は、固定接点２１１と可動接点２２２とのうち一方の接点（可動接点２２２）に対して、他方の接点（固定接点２１１）が位置する側とは反対側の領域に配置されている。
【００９１】
上記の構成によれば、固定接点２１１と可動接点２２２との間に発生するアークが伸張した場合に、アークの伸張を隔壁３３によって遮ることができる。したがって、伸張したアークが、より短い長さのアークに戻る可能性を低減できる。その結果、アークの長さが長い状態を維持できる可能性が高まる。これにより、アーク電圧が比較的大きい状態を維持できるので、接点装置２（又は２Ａ）の消弧性能が向上する。
【００９２】
また、第２の態様に係る接点装置２（又は２Ａ）では、第１の態様において、隔壁３３は、第１方向Ｄ１から見て、第２方向Ｄ２に沿って延在する。
【００９３】
上記の構成によれば、隔壁３３のうち、第２方向Ｄ２に沿った部位により、アークを遮ることができる。
【００９４】
また、第３の態様に係る接点装置２（又は２Ａ）は、第１又は２の態様において、第１の空間ＳＰ１と第２の空間ＳＰ２とのうち少なくとも一方は、アークが伸張可能な伸張空間３２０の少なくとも一部である。
【００９５】
上記の構成によれば、伸張空間３２０へと移動したアークを隔壁３３により遮ることができる。
【００９６】
また、第４の態様に係る接点装置２（又は２Ａ）は、第３の態様において、底壁３１５を更に備える。底壁３１５は、第１方向Ｄ１において伸張空間３２０に面する。隔壁３３は、第２方向Ｄ２から見て、底壁３１５と上記一方の接点（可動接点２２２）との間に配置されている。
【００９７】
上記の構成によれば、アークは底壁３１５を越えて移動し難いので、伸張空間３２０へと移動したアークが伸張空間３２０の外部へ広がる可能性を低減できる。
【００９８】
また、第５の態様に係る接点装置２（又は２Ａ）では、第４の態様において、遮蔽壁３５は、側壁３２を有する。側壁３２は、底壁３１５の周縁から第１方向Ｄ１に突出している。
【００９９】
上記の構成によれば、アークは側壁３２を越えて移動し難いので、伸張空間３２０へと移動したアークが伸張空間３２０の外部へ広がる可能性を低減できる。
【０１００】
また、第６の態様に係る接点装置２（又は２Ａ）は、第１〜５の態様のいずれか１つにおいて、駆動軸２５と、壁部３４と、を更に備える。駆動軸２５は、可動接触子２２を第１方向Ｄ１に移動させる。壁部３４は、筒状である。壁部３４は、収容室４１０において駆動軸２５を囲む。
【０１０１】
上記の構成によれば、アークによって発生した気流等により異物が飛散した場合に、異物が壁部３４を越えて駆動軸２５側へ侵入し難いので、異物の侵入によって駆動軸２５の駆動が阻害されることを抑制できる。
【０１０２】
また、第７の態様に係る接点装置２（又は２Ａ）では、第１〜６の態様のいずれか１つにおいて、上記一方の接点は可動接点２２２である。
【０１０３】
上記の構成によれば、可動接点２２２を基準として固定接点２１１が位置する側とは反対側へ移動するアークを隔壁３３により遮ることができる。
【０１０４】
また、第８の態様に係る接点装置２（又は２Ａ）は、第１〜７の態様のいずれか１つにおいて、永久磁石４３１を更に備える。永久磁石４３１は、固定接点２１１と可動接点２２２との間において第２方向Ｄ２に向く磁束を発生させる。
【０１０５】
上記の構成によれば、永久磁石４３１により発生するローレンツ力により、アークを引き延ばすことができる。
【０１０６】
また、第９の態様に係る接点装置２では、第８の態様において、永久磁石４３１は、可動接触子２２に対して第２方向Ｄ２に並ぶ位置に配置されている。
【０１０７】
上記の構成によれば、可動接触子２２の周りに第２方向Ｄ２に沿った磁束を発生させ、この磁束により発生するローレンツ力をアークに作用させてアークを引き延ばすことができる。
【０１０８】
また、第１０の態様に係る接点装置２Ａでは、第８の態様において、永久磁石４３１は、可動接触子２２に対して第３方向Ｄ３に並ぶ位置に配置されている。
【０１０９】
上記の構成によれば、可動接触子２２の周りに第２方向Ｄ２に沿った磁束を発生させ、この磁束により発生するローレンツ力をアークに作用させてアークを引き延ばすことができる。
【０１１０】
また、第１１の態様に係る接点装置２（又は２Ａ）では、第１〜１０の態様のいずれか１つにおいて、隔壁３３は、電気絶縁性を有する。
【０１１１】
上記の構成によれば、隔壁３３が電気伝導性を有する場合と比較して、隔壁３３では、アークを遮る性能が高まる。
【０１１２】
また、第１２の態様に係る接点装置２（又は２Ａ）では、第１〜１１の態様のいずれか１つにおいて、隔壁３３は、第１方向Ｄ１から見て、固定接点２１１と重なる位置に配置されている。
【０１１３】
上記の構成によれば、第１方向Ｄ１から見て、アークが隔壁３３に向かって或る向きに移動する場合と、アークが隔壁３３に向かって上記或る向きとは反対向きに移動する場合との両方の場合に、アークを隔壁３３により遮ることができる。
【０１１４】
また、第１３の態様に係る接点装置２（又は２Ａ）は、第１〜１２の態様のいずれか１つにおいて、固定接点２１１を２つ備える。可動接触子２２は、可動接点２２２を２つ有する。２つの可動接点２２２は、２つの固定接点２１１に対向する。
【０１１５】
上記の構成によれば、２点切りタイプの接点装置２（又は２Ａ）を構成できる。
【０１１６】
第１の態様以外の構成については、接点装置２（又は２Ａ）に必須の構成ではなく、適宜省略可能である。
【０１１７】
また、第１４の態様に係る電磁継電器１（又は１Ａ）は、第１〜１３の態様のいずれか１つに係る接点装置２（又は２Ａ）と、電磁石装置５と、を備える。電磁石装置５は、励磁コイル５１を有する。
【０１１８】
上記の構成によれば、固定接点２１１と可動接点２２２との間に発生するアークが伸張した場合に、アークの伸張を隔壁３３によって遮ることができる。したがって、伸張したアークが、より短い長さのアークに戻る可能性を低減できる。その結果、アークの長さが長い状態を維持できる可能性が高まる。これにより、アーク電圧が比較的大きい状態を維持できるので、電磁継電器１（又は１Ａ）における接点装置２（又は２Ａ）の消弧性能が向上する。
【０１１９】
また、第１５の態様に係る電磁継電器１（又は１Ａ）では、第１４の態様において、電磁石装置５は、継鉄５４を有する。継鉄５４には、励磁コイル５１で発生した磁束が通る。継鉄５４は、一の継鉄（第１の継鉄５４１）を含む。一の継鉄は、可動接触子２２と励磁コイル５１との間に配置されている。接点装置２（又は２Ａ）は、カバー（ベース３１）を備える。カバーは、一の継鉄と可動接触子２２との間に配置されており一の継鉄を覆う。カバーは、電気絶縁性を有する。
【０１２０】
上記の構成によれば、アークはカバー（ベース３１）を越えて移動し難いので、継鉄５４をアークから保護できる。
【０１２１】
第１４の態様以外の構成については、電磁継電器１（又は１Ａ）に必須の構成ではなく、適宜省略可能である。
【符号の説明】
【０１２２】
１、１Ａ  電磁継電器
２、２Ａ  接点装置
２２  可動接触子
２５  駆動軸
２１１  固定接点
２２２  可動接点
３１  ベース（カバー）
３２  側壁
３３  隔壁
３４  壁部
３５  遮蔽壁
３１５  底壁
３２０  伸張空間
４１０  収容室
４３１  永久磁石
５  電磁石装置
５１  励磁コイル
５４  継鉄
５４１  第１の継鉄（一の継鉄）
Ｄ１  第１方向
Ｄ２  第２方向
Ｄ３  第３方向
ＳＰ１  第１の空間
ＳＰ２  第２の空間
【図１】
2020080256.tif 000003
【図２】
2020080256.tif 000004
【図３】
2020080256.tif 000005
【図４】
2020080256.tif 000006
【図５】
2020080256.tif 000007
【図６】
2020080256.tif 000008
【図７】
2020080256.tif 000009
【図８】
2020080256.tif 000010